(57)【特許請求の範囲】
【請求項１】
撮像が行われる可能性がない非撮像期間には、点灯量を一括で変化させることで、点灯状態を、第１点灯量で点灯した第１点灯状態と、第２点灯量で点灯した第２点灯状態とに交互に切り換える点灯態様で点灯し、撮像が行われる可能性がある撮像期間には、点灯量を漸次変化させることで、点灯状態を、第１点灯量で点灯した第１点灯状態と、第２点灯量で点灯した第２点灯状態とに交互に切り換える交互点灯態様で点灯する光源部と、
前記光源部が前記交互点灯態様で点灯している間に、前記光源部の点灯量の変化による入射光の変化に応じて撮像設定を調節するとともに、対象物を撮像する撮像部と、
を備える自動取引装置。
【請求項２】
前記撮像設定を調節する基準である基準値と、前記基準値から許容されるずれ量とが設定されており、
前記撮像部は、前記入射光の変化によって生じた前記基準値からのずれを、前記撮像設定を調節することにより補正し、
前記光源部は、前記交互点灯態様で点灯するときには前記基準値から前記ずれ量以上ずれないように、前記点灯量を漸次変化させる、
請求項１に記載の自動取引装置。
【請求項３】
前記光源部は、点灯により媒体の排出を報知し、
前記撮像部は、排出された前記媒体を取得した取得者を撮像する、
請求項１に記載の自動取引装置。
【請求項４】
前記非撮像期間は、前記媒体が装置から排出される前の期間であり、
前記撮像期間は、前記媒体が装置から排出された後の期間である、
請求項３に記載の自動取引装置。
【請求項５】
光源を備える自動取引装置における情報報知方法であって、
前記自動取引装置が、
撮像が行われる可能性がない非撮像期間には、前記光源の点灯量を一括で変化させることで、点灯状態を、第１点灯量で点灯した第１点灯状態と、第２点灯量で点灯した第２点灯状態とに交互に切り換える点灯態様で前記光源を点灯し、
撮像が行われる可能性がある撮像期間には、前記光源の点灯量を漸次変化させることで、点灯状態を、第１点灯量で点灯した第１点灯状態と、第２点灯量で点灯した第２点灯状態とに交互に切り換える交互点灯態様で前記光源を点灯し、
前記光源が前記交互点灯態様で点灯している間に、前記光源の点灯量の変化による入射光の変化に応じて撮像設定を調節するとともに、対象物を撮像する、
処理を実行する情報報知方法。
【請求項６】
光源を備える自動取引装置における情報報知プログラムであって、
前記自動取引装置に、
撮像が行われる可能性がない非撮像期間には、前記光源の点灯量を一括で変化させることで、点灯状態を、第１点灯量で点灯した第１点灯状態と、第２点灯量で点灯した第２点灯状態とに交互に切り換える点灯態様で前記光源を点灯し、
撮像が行われる可能性がある撮像期間には、前記光源の点灯量を漸次変化させることで、点灯状態を、第１点灯量で点灯した第１点灯状態と、第２点灯量で点灯した第２点灯状態とに交互に切り換える交互点灯態様で前記光源を点灯し、
前記光源が前記交互点灯態様で点灯している間に、前記光源の点灯量の変化による入射光の変化に応じて撮像設定を調節するとともに、対象物を撮像する、
処理を実行させる情報報知プログラム。
【発明の詳細な説明】
【技術分野】
【０００１】
本発明は、点灯による情報の報知と、画像の撮像とを両立可能な自動取引装置、情報報知方法および情報報知プログラムに関する。
【背景技術】
【０００２】
金融機関の店舗などには、利用者から取引の操作を受け付けて、取引に係るキャッシュカードや現金などの媒体を排出する自動取引装置（ＡＴＭ：Automated Teller Machine）が配置されている。
【０００３】
このような自動取引装置では、フリッカランプを点滅（点灯量０％と点灯量１００％とで交互に点灯）させることで、媒体の排出を利用者に報知し、利用者を排出口に誘導することが行われている。また、防犯上の必要性等の理由から排出した媒体を取得した利用者の画像をカメラによって撮像して記録することが行われている（たとえば、特許文献１参照）。
【０００４】
ところで、自動取引装置に取り付けられたカメラでは、通常、適切な画像を撮像するために、絞り値（Ｆ値）等の撮像設定を調節（調整）することで、周囲の明るさの変化（撮像環境の変化）に合わせて露出量（露出値）を基準値から一定範囲に納めて（コントロールして）いる。
【先行技術文献】
【特許文献】
【０００５】
【特許文献１】特開２００９−１１６６３６号公報
【発明の概要】
【発明が解決しようとする課題】
【０００６】
フリッカランプを点滅させて媒体の排出を利用者に報知し、利用者を排出口に誘導している状態では、点灯量が切り換わるタイミングで周囲の明るさ（撮像環境）が急激に変化するため、露出量が基準値から大幅にずれることがあった。この場合、カメラが撮像設定を調節して露出量を基準値から一定範囲に納める（コントロールし直す）までの間、適切な画像が撮像できなくなっていた。
【０００７】
本発明はこのような問題に鑑みてなされたものであり、点灯による情報の報知と、画像の撮像とを両立可能な自動取引装置、情報報知方法および情報報知プログラムの提供を目的とする。
【課題を解決するための手段】
【０００８】
上記課題を解決するために、光源部と、撮像部とを備える自動取引装置を提供する。光源部は、撮像が行われる可能性がない非撮像期間には、点灯量を一括で変化させることで、点灯状態を、第１点灯量で点灯した第１点灯状態と、第２点灯量で点灯した第２点灯状態とに交互に切り換える点灯態様で点灯し、撮像が行われる可能性がある撮像期間には、点灯量を漸次変化させることで、点灯状態を、第１点灯量で点灯した第１点灯状態と、第２点灯量で点灯した第２点灯状態とに交互に切り換える交互点灯態様により点灯する。撮像部は、光源部が交互点灯態様で点灯している間に、光源部の点灯量の変化による入射光の変化に応じて撮像設定を調節するとともに、対象物を撮像する。
【０００９】
また、上記課題を解決するために、光源を備える自動取引装置が以下の処理を実行する情報報知方法、および光源を備える自動取引装置に以下の処理を実行させる情報報知プログラムを提供する。自動取引装置は、撮像が行われる可能性がない非撮像期間には、光源の点灯量を一括で変化させることで、点灯状態を、第１点灯量で点灯した第１点灯状態と、第２点灯量で点灯した第２点灯状態とに交互に切り換える点灯態様で光源を点灯し、撮像が行われる可能性がある撮像期間には、光源の点灯量を漸次変化させることで、点灯状態を、第１点灯量で点灯した第１点灯状態と、第２点灯量で点灯した第２点灯状態とに交互に切り換える交互点灯態様で光源を点灯し、光源が交互点灯態様で点灯している間に、光源の点灯量の変化による入射光の変化に応じて撮像設定を調節するとともに、対象物を撮像する。
【発明の効果】
【００１０】
本発明の自動取引装置、情報報知方法および情報報知プログラムは、点灯量を漸次変化させて異なる点灯量の点灯状態を交互に切り換えて情報を報知するため、点灯による情報の報知と、画像の撮像とを両立できる。
【図面の簡単な説明】
【００１１】
【図１】第一実施形態における自動取引装置の構成を示す図である。
【図２】第一実施形態における点灯量の変化と露出量の変化との関係を示す図である。
【図３】第二実施形態におけるＡＴＭの外観を示す図である。
【図４】第二実施形態におけるＡＴＭのハードウェア構成を示すブロック図である。
【図５】第二実施形態におけるＡＴＭの要部断面図である。
【図６】第二実施形態におけるＡＴＭの機能ブロックを示す図である。
【図７】第二実施形態における誘導処理ユニットの回路図である。
【図８】第二実施形態における紙幣排出処理のフローチャートである。
【図９】第二実施形態における点灯量の変化と露出量の変化との関係を示す図である。
【発明を実施するための形態】
【００１２】
以下、本発明の実施の形態について図面を参照して説明する。
［第一実施形態］
図１は、第一実施形態の自動取引装置の構成を示す図である。自動取引装置１は、光源部２と撮像部３とを備える。
【００１３】
光源部２は、交互点灯態様で点灯することにより情報を報知する。交互点灯態様は、点灯量を漸次変化（漸増および漸減）させることで、点灯状態を、第１点灯量で点灯した第１点灯状態と、第２点灯量で点灯した第２点灯状態とを交互に切り換える態様である。第２点灯量は、第１点灯量と異なる点灯量である。漸次変化については、後で図２を用いて説明する。
【００１４】
たとえば、第１点灯量は、点灯量０％（消灯した状態）であり、第２点灯量は、点灯量１００％（最大の点灯量で点灯した状態）である。このように交互に異なる点灯量で点灯することで、単純に点灯している場合よりも、利用者に感知（知覚）させやすくできる（良好に情報を報知できる）。
【００１５】
撮像部３は、光源部２の点灯によって変化する入射光に応じて撮像設定を調節する。たとえば、図１（ａ），（ｂ）に示すように、光源部２の点灯により出射（照射）した光は、対象物４での反射等により、一部が撮像部３に入射する入射光になる。そのため、第１点灯量で点灯する第１点灯状態（図１（ａ））と、第２点灯量で点灯する第２点灯状態（図１（ｂ））とでは、撮像部３に入射する入射光（たとえば、光量）が変化する（異なる）。
【００１６】
そこで、撮像部３は、たとえば、入射光の変化によって生じた基準値とのずれ（たとえば、予め設定した適正露出量とのずれ）を、撮像設定を調節（調整）することで補正する。撮像部３は、光源部２が交互点灯態様で点灯している間に対象物４を撮像する。
【００１７】
なお、以下では、撮像設定の調節による露出量の補正を用いて説明するが、他の撮像パラメータの補正（たとえば、色調補正等）についても同様に適用できる。
ここで、漸次変化について図２を用いて説明する。図２は、第一実施形態における点灯量の変化と露出量の変化との関係を示す図である。なお、説明のためシャッタースピード（露出時間）は十分小さい（たとえば、時刻Ｔ１で撮像した場合には、露出時間の間中、時刻Ｔ１の入射光量が入射する）ものとする。
【００１８】
まず、従来の点灯態様について図２（ａ１），図２（ａ２）を用いて説明する。
図２（ａ１）は、従来の点灯態様で光源部２を点灯した場合の点灯量の推移を示す図である。具体的には、光源部２が、第１点灯量の第１点灯状態と第２点灯量の第２点灯状態とを、点灯量を一括で（一度に）変化させることで切り換えた場合の点灯量の推移を示している。なお、図２（ａ１）では、縦軸が点灯量、横軸が時刻を示している。
【００１９】
図２（ａ２）は、光源部２の点灯量の推移が図２（ａ１）である場合の露出量の推移を示す図である。図２（ａ２）は、点灯量に応じて光源部２から出射した光のうち一定の割合（たとえば、全て）が入射したと仮定した場合の露出量を示している。なお、図２（ａ２）では、縦軸が露出量、横軸が時刻を示している。なお、上方の破線は、適切な画像が撮像できる露出量の上限値として設定された露出オーバー（許容上限露出量）を、下方の破線は、適切な画像が撮像できる露出量の下限値として設定された露出アンダー（許容下限露出量）を示している。すなわち、破線の間が適正範囲（露出量をコントロールすべき範囲）である。
【００２０】
時刻Ｔ１に光源部２は、点灯量を第１点灯量（第１点灯状態）から第２点灯量（第２点灯状態）に切り換える。時刻Ｔ１直前では撮像部３は、光源部２が第１点灯量で点灯している場合に適正露出量（基準値）になるように調節している。そのため、時刻Ｔ１における点灯量の大幅な増加により、入射光量も大幅に増加し、露出量は、適正露出量を大幅に上回る値、すなわち、適正範囲外（許容上限露出量を上回る値）である「適正露出量＋α」になる。
【００２１】
その後、撮像部３は、撮像設定を調節することで露出量を徐々に減少（たとえば、単位時間当たり所定量減少）させ、時刻Ｔ２に露出量を適正範囲内に納め（コントロールし）、時刻Ｔ３に適正露出量と同値まで補正する。
【００２２】
時刻Ｔ４に光源部２は、点灯量を第２点灯量（第２点灯状態）から第１点灯量（第１点灯状態）に切り換える。時刻Ｔ４直前では撮像部３は、光源部２が第２点灯量で点灯している場合に適正露出量（基準値）になるように調節している。そのため、時刻Ｔ４における点灯量の大幅な減少により、入射光量も大幅に減少し、露出量は、適正露出量を大幅に下回る値、すなわち、適正範囲外（許容下限露出量を下回る値）である「適正露出量−α」になる。
【００２３】
その後、撮像部３は、撮像設定を調節することで露出量を徐々に増加（たとえば、単位時間当たり所定量増加）させ、時刻Ｔ５に露出量を適正範囲内に納め（コントロールし）、時刻Ｔ６に適正露出量と同値まで補正する。以降、このサイクル（Ｔ１〜Ｔ６）が繰り返される。
【００２４】
このように、従来の点灯態様では、点灯状態を切り換えた直後（たとえば、時刻Ｔ１〜Ｔ２の間、時刻Ｔ４〜Ｔ５の間）に露出量が大幅にずれ、適正範囲外になり、適切な画像を撮像できない場合があった。
【００２５】
次に、本発明の点灯態様（交互点灯態様）その１について図２（ｂ１），図２（ｂ２）を用いて説明する。
図２（ｂ１）は、本発明の交互点灯態様で光源部２を点灯した場合の点灯量の推移を示す図である。具体的には、光源部２が、第１点灯量の第１点灯状態と第２点灯量の第２点灯状態とを、点灯量を段階的（漸次的）に変化させて切り換えた場合の点灯量の推移を示している。なお、図２（ｂ１）では、縦軸が点灯量、横軸が時刻を示している。
【００２６】
図２（ｂ２）は、光源部２の点灯量の推移が図２（ｂ１）である場合の露出量の推移を示す図である。図２（ｂ２）は、点灯量に応じて光源部２から出射した光のうち一定の割合（たとえば、全て）が入射したと仮定した場合の露出量を示している。なお、図２（ｂ２）では、縦軸が露出量、横軸が時刻を示している。また、上方の破線は、適切な画像が撮像できる露出量の上限値として設定された露出オーバー（許容上限露出量）を、下方の破線は、適切な画像が撮像できる露出量の下限値として設定された露出アンダー（許容下限露出量）を示している。すなわち、破線の間が適正範囲（露出量をコントロールすべき範囲）である。
【００２７】
時刻Ｔ１に光源部２は、第１点灯量（第１点灯状態）から第２点灯量（第２点灯状態）への点灯量の切り換えを開始し、点灯量を第１点灯量と第２点灯量の間の点灯量である第３点灯量に切り換える。時刻Ｔ１直前では撮像部３は、光源部２が第１点灯量で点灯している場合に適正露出量（基準値）になるように調節している。そのため、時刻Ｔ１における点灯量の増加により、入射光量も増加し、露出量は、露出オーバー気味な値（図では許容上限露出量と同値）である「適正露出量＋β（β＜αとする）」になる。
【００２８】
その後、撮像部３は、撮像設定を調節することで露出量を徐々に減少（単位時間当たり所定量減少）させ、時刻Ｔ２に適正露出量と同値まで補正する。
時刻Ｔ３に光源部２は、点灯量を第３点灯量から第２点灯量（第２点灯状態）に切り換え、第１点灯量（第１点灯状態）から第２点灯量（第２点灯状態）への点灯量の切り換えを終了する。時刻Ｔ３直前では撮像部３は、光源部２が第３点灯量で点灯している場合に適正露出量（基準値）になるように調節している。そのため、時刻Ｔ３における点灯量の増加により、入射光量も増加し、露出量は、露出オーバー気味な値（図では許容上限露出量と同値）である「適正露出量＋β（β＜αとする）」になる。
【００２９】
その後、撮像部３は、撮像設定を調節することで露出量を徐々に減少（単位時間当たり所定量減少）させ、時刻Ｔ４に適正露出量と同値まで補正する。
時刻Ｔ５に光源部２は、第２点灯量（第２点灯状態）から第１点灯量（第１点灯状態）への点灯量の切り換えを開始し、点灯量を第１点灯量と第２点灯量の間の点灯量である第３点灯量に切り換える。時刻Ｔ５直前では撮像部３は、光源部２が第２点灯量で点灯している場合に適正露出量（基準値）になるように調節している。そのため、時刻Ｔ５における点灯量の減少により、入射光量も減少し、露出量は、露出アンダー気味な値（図では許容下限露出量と同値）である「適正露出量−β（β＜αとする）」になる。
【００３０】
その後、撮像部３は、撮像設定を調節することで露出量を徐々に増加（単位時間当たり所定量増加）させ、時刻Ｔ６に適正露出量と同値まで補正する。
時刻Ｔ７で光源部２は、点灯量を第３点灯量から第１点灯量（第１点灯状態）に切り換え、第２点灯量（第２点灯状態）から第１点灯量（第１点灯状態）への点灯量の切り換えを終了する。時刻Ｔ７直前では撮像部３は、光源部２が第３点灯量で点灯している場合に適正露出量（基準値）になるように調節している。そのため、時刻Ｔ７における点灯量の減少により、入射光量も減少し、露出量は、露出アンダー気味な値（図では許容下限露出量と同値）である「適正露出量−β（β＜αとする）」になる。
【００３１】
その後、撮像部３は、撮像設定を調節することで露出量を徐々に増加（単位時間当たり所定量増加）させ、時刻Ｔ８に適正露出量と同値まで補正する。以降、このサイクル（Ｔ１〜Ｔ８）が繰り返される。
【００３２】
このような点灯態様によれば、点灯状態を切り換える際に点灯量の変化によって生じる適正露出量からのずれ（β＜α）を小さくできるため、露出量が適切範囲内に納まる（コントロールされる）時間を長くすることができる。特に、自動取引装置１は、図２（ｂ２）に示すように点灯量を変化させた直後でも露出量が適正範囲内に納まるような、変化量および変化タイミング（変化間隔）で段階的に点灯量を変化させることで、露出量が適正範囲外にならないようにコントロールできる。
【００３３】
このような交互点灯態様で点灯することにより、自動取引装置１は、点灯による情報の報知と、画像の撮像とを両立できる。
次に、本発明の点灯態様（交互点灯態様）その２について図２（ｃ１），図２（ｃ２）を用いて説明する。
【００３４】
図２（ｃ１）は、本発明の交互点灯態様で光源部２を点灯した場合の点灯量の推移を示す図である。具体的には、光源部２が、第１点灯量の第１点灯状態と第２点灯量の第２点灯状態とを、点灯量を徐々に（単位時間当たり所定量）変化させて切り換えた場合の点灯量の推移を示している。なお、図２（ｃ１）では、縦軸が点灯量、横軸が時刻を示している。
【００３５】
図２（ｃ２）は、光源部２の点灯量の推移が図２（ｃ１）である場合の露出量の推移を示す図である。図２（ｃ２）は、点灯量に応じて光源部２から出射した光のうち一定の割合（たとえば、全て）が入射したと仮定した場合の露出量を示している。なお、図２（ｃ２）では、縦軸が露出量、横軸が時刻を示している。また、上方の破線は、適切な画像が撮像できる露出量の上限値として設定された露出オーバー（許容上限露出量）を、下方の破線は、適切な画像が撮像できる露出量の下限値として設定された露出アンダー（許容下限露出量）を示している。すなわち、破線の間が適正範囲（露出量をコントロールすべき範囲）である。
【００３６】
時刻Ｔ１に光源部２は、第１点灯量（第１点灯状態）から第２点灯量（第２点灯状態）への点灯量の切り換えを開始し、点灯量を単位時間当たり所定量ずつ増加（所定の点灯変化量で増加）させ始める。
【００３７】
時刻Ｔ１直前では撮像部３は、光源部２が第１点灯量で点灯している場合に適正露出量（基準値）になるように調節している。そのため、時刻Ｔ１から所定の点灯変化量で点灯量を増加させると、「点灯量の増加による露出量の増加量（露出増加スピード）−撮像設定の調節による露出補正量（露出補正スピード）」の分だけ徐々に露出量が適正露出量からずれていく。
【００３８】
点灯量の増加による露出量の増加量（露出増加スピード）は、所定の点灯変化量で点灯量を増加させた場合に、単位時間当たりに増加する露出量である。撮像設定の調節による露出補正量（露出補正スピード）は、撮像設定の調節によって補正される単位時間当たりの露出量である。
【００３９】
光源部２は、時刻Ｔ１から時刻Ｔ２まで点灯量を単位時間当たり所定量ずつ増加させ、点灯量が第２点灯量に到達すると、点灯量を単位時間当たり所定量ずつ増加させるのを終了する。この時、第１点灯量（第１点灯状態）から第２点灯量（第２点灯状態）への点灯量の切り換えにおける、露出量の適正露出量とのずれは、最大になる。具体的には、露出量は、露出オーバー気味な値である「適正露出量＋γ（γ＜αとする）」になる。
【００４０】
その後、撮像部３は、撮像設定を調節することで露出量を徐々に減少（単位時間当たり所定の変化量で減少）させ、時刻Ｔ３に適正露出量と同値まで補正する。
時刻Ｔ４に光源部２は、第２点灯量（第２点灯状態）から第１点灯量（第１点灯状態）への点灯量の切り換えを開始し、点灯量を単位時間当たり所定量ずつ減少（所定の点灯変化量で減少）させ始める。
【００４１】
時刻Ｔ４直前では撮像部３は、光源部２が第２点灯量で点灯している場合に適正露出量（基準値）になるように調節している。そのため、時刻Ｔ４から所定の点灯変化量で点灯量を減少させると、「点灯量の減少による露出量の減少量（露出減少スピード）−撮像設定の調節による露出補正量（露出補正スピード）」の分だけ徐々に露出量が適正露出量からずれていく。
【００４２】
点灯量の減少による露出量の減少量（露出減少スピード）は、所定の点灯変化量で点灯量を減少させた場合に、単位時間当たりに減少する露出量である。
光源部２は、時刻Ｔ４から時刻Ｔ５まで点灯量を単位時間当たり所定量ずつ減少させ、点灯量が第１点灯量に到達すると、点灯量を単位時間当たり所定量ずつ減少させるのを終了する。この時、第２点灯量（第２点灯状態）から第１点灯量（第１点灯状態）への点灯量の切り換えにおける、露出量の適正露出量とのずれは、最大になる。具体的には、露出量は、露出アンダー気味な値である「適正露出量−γ（γ＜αとする）」になる。
【００４３】
その後、撮像部３は、撮像設定を調節することで露出量を徐々に増加（単位時間当たり所定の変化量で増加）させ、時刻Ｔ６に適正露出量と同値まで補正する。以降、このサイクル（Ｔ１〜Ｔ６）が繰り返される。
【００４４】
このような点灯態様によれば、点灯状態を切り換える際に点灯量の変化によって生じる適正露出量からのずれ（γ＜α）を小さくできるため、露出量が適切範囲内に納まる（コントロールされる）時間を長くすることができる。特に、自動取引装置１は、図２（ｃ２）に示すように、露出量が適正範囲内に納まるように、点灯量を単位時間当たり所定量ずつ変化させることで、露出量が適正範囲外にならないようにコントロールできる。
【００４５】
このような交互点灯態様で点灯することにより、自動取引装置１は、点灯による情報の報知と、画像の撮像とを両立できる。
なお、より好ましくは、自動取引装置１は、露出増加スピード（露出減少スピード）よりも露出補正スピードが速くなるように、点灯量を単位時間当たり所定量ずつ変化させるとよい。露出補正スピードの方が速い場合、点灯量の変化によって生じた適正露出量からのずれは、随時（即時）、補正される。そのため、自動取引装置１は、露出量の適正露出量とのずれを抑止することができる。
【００４６】
［第二実施形態］
次に第二実施形態として、第一実施形態の自動取引装置（ＡＴＭ）についてより具体的に説明する。図３は、第二実施形態におけるＡＴＭの外観を示す図である。
【００４７】
ＡＴＭ１００は、利用者操作部１０１と、カード／レシート部１０２と、紙幣入出金部１０３と、テンキー入力部１０４と、利用者誘導部１０５ａ，１０５ｂと、撮像部１０６ａ，１０６ｂと、を有する。
【００４８】
利用者操作部１０１は、ディスプレイとタッチパネルを有し、ＡＴＭにおける取引操作の案内と、指示の受け付けとを行う。カード／レシート部１０２は、キャッシュカードやクレジットカード等のカードを用いる取引において、カードの取り込みと排出とを行う。また、カード／レシート部１０２は、取引終了時に発行するレシートを排出する。紙幣入出金部１０３では、入金および出金取引の際に、紙幣の受け渡しを処理する。テンキー入力部１０４は、数字等を入力するキーを備え、利用者操作部１０１のタッチパネルと協働して利用者の指示を受け付ける。
【００４９】
利用者誘導部１０５ａは、異なる２つの点灯状態を交互に切り換えることにより、利用者を紙幣入出金部１０３に誘導する。具体的には、利用者誘導部１０５ａは、紙幣入出金部１０３から紙幣を取り込むタイミング、紙幣入出金部１０３から紙幣を排出するタイミングで、利用者を紙幣入出金部１０３に誘導する。利用者誘導部１０５ａは、複数のＬＥＤ（発光体）からなるフリッカランプ（光源）である。
【００５０】
利用者誘導部１０５ｂは、異なる２つの点灯状態を交互に切り換えることにより、利用者をカード／レシート部１０２に誘導する。具体的には、利用者誘導部１０５ｂは、カード／レシート部１０２からカードを取り込むタイミング、カード／レシート部１０２からカードを排出するタイミングおよびカード／レシート部１０２からレシートを排出するタイミングで、利用者をカード／レシート部１０２に誘導する。利用者誘導部１０５ｂは、複数のＬＥＤ（発光体）からなるフリッカランプ（光源）である。
【００５１】
撮像部（カメラ）１０６ａは、紙幣入出金部１０３が排出した紙幣を利用者が取得したタイミングや、紙幣入出金部１０３に紙幣を利用者が挿入したタイミングで利用者を撮像する。たとえば、紙幣入出金部１０３からの紙幣の取得や、紙幣入出金部１０３への紙幣の挿入は、紙幣入出金部１０３に設けられた図示しないセンサ（たとえば、内部に設けられたセンサ等）によって検出される。撮像部１０６ａは、適切な画像を撮像するために、撮像設定を調節することで、周囲の明るさの変化（撮像環境の変化）に合わせて露出量を基準値から一定範囲（予め設定した範囲）に納める（コントロールする）、いわゆる、露出補正を行う。
【００５２】
撮像部（カメラ）１０６ｂは、カード／レシート部１０２にカードを利用者が挿入したタイミングや、カード／レシート部１０２が排出したカードを利用者が取得したタイミングや、カード／レシート部１０２が排出したレシートを利用者が取得したタイミングで利用者を撮像する。たとえば、カード／レシート部１０２へのカードの挿入や、カード／レシート部１０２が排出したカードの取得や、カード／レシート部１０２が排出したレシートの取得は、カード／レシート部１０２に設けられた図示しないセンサ（たとえば、挿入口に設けられたセンサ等）によって検出される。撮像部１０６ｂは、適切な画像を撮像するために、撮像設定を調節することで、周囲の明るさの変化（撮像環境の変化）に合わせて露出量を基準値から一定範囲（予め設定した範囲）に納める（コントロールする）、いわゆる、露出補正を行う。
【００５３】
次にＡＴＭ１００のハードウェア構成について説明する。図４は、第二実施形態におけるＡＴＭのハードウェア構成を示すブロック図である。
ＡＴＭ１００は、制御部１１０と、ディスプレイ１０１ａと、タッチパネル１０１ｂと、カード／レシート処理ユニット１２０と、紙幣処理ユニット１３０と、テンキーユニット１４０と、誘導処理ユニット１５０ａと、誘導処理ユニット１５０ｂと、を有する。
【００５４】
制御部１１０は、ＣＰＵ（Central Processing Unit）１１１、ＲＡＭ（Random Access Memory）１１２、第１ＨＤＤ（Hard Disk Drive）１１３ａ、第２ＨＤＤ１１３ｂ、外部通信インタフェース１１４、表示処理ユニット１１５、キー処理ユニット１１６、撮像処理ユニット１１７およびＩ／Ｏ（Input Output）制御部１１８を有し、各々がバス１１９を介して接続されている。なお、制御部１１０は、コンピュータの一例でもある。
【００５５】
ＣＰＵ１１１は、ＡＴＭ１００の全体動作を制御する。ＲＡＭ１１２には、ＣＰＵ１１１に実行させるＯＳ（Operating System）のプログラムやアプリケーションプログラムの少なくとも一部が一時的に格納される。また、ＲＡＭ１１２には、ＣＰＵ１１１による処理に必要な各種データが格納される。
【００５６】
第１ＨＤＤ１１３ａおよび第２ＨＤＤ１１３ｂには、ＯＳやアプリケーションプログラムを格納する。第１ＨＤＤ１１３ａと、第２ＨＤＤ１１３ｂとは、システム保護のために二重化されているが、いずれか一方のみで構成することもできる。
【００５７】
外部通信インタフェース１１４は、外部のネットワーク７０に接続され、他のコンピュータとの間でデータの送受信を行う。
表示処理ユニット１１５には、ディスプレイ１０１ａが接続される。ディスプレイ１０１ａは、タッチパネル１０１ｂとともに利用者操作部１０１を構成する。表示処理ユニット１１５は、ＣＰＵ１１１の制御の下に、操作案内等の各種情報をディスプレイ１０１ａの画面に表示させる。
【００５８】
キー処理ユニット１１６には、タッチパネル１０１ｂが接続される。タッチパネル１０１ｂは、ディスプレイ１０１ａの上層に形成される。キー処理ユニット１１６は、利用者の指がタッチパネル１０１ｂに接触あるいは接近した画面上の位置を検出し、ＣＰＵ１１１に通知する。
【００５９】
撮像処理ユニット１１７は、撮像部１０６ａと撮像部１０６ｂと接続される。撮像処理ユニット１１７は、ＣＰＵ１１１の指示に従って利用者の画像を、撮像部１０６ａまたは撮像部１０６ｂに撮像させる。具体的には撮像処理ユニット１１７は、図示しないセンサ等により利用者の紙幣入出金部１０３からの媒体の取得や、紙幣入出金部１０３への媒体の挿入を検出した場合に、撮像部１０６ａに利用者の画像を撮像させる。また、撮像処理ユニット１１７は、図示しないセンサ等により利用者のカード／レシート部１０２からの媒体の取得や、カード／レシート部１０２への媒体の挿入を検出した場合に、撮像部１０６ｂに利用者の画像を撮像させる。撮像処理ユニット１１７は、撮像した画像を、ＣＰＵ１１１に送る。
【００６０】
Ｉ／Ｏ制御部１１８には、カード／レシート処理ユニット１２０、紙幣処理ユニット１３０、テンキーユニット１４０、誘導処理ユニット１５０ａおよび誘導処理ユニット１５０ｂが接続される。Ｉ／Ｏ制御部１１８は、ＣＰＵ１１１の制御の下に、接続する各部にＣＰＵ１１１からの指示を通知するとともに、各部から取得した情報をバス１１９経由でＣＰＵ１１１に送る。
【００６１】
カード／レシート処理ユニット１２０は、カード／レシート部１０２を有し、カード／レシート処理ユニット１２０は、カード／レシート部１０２からのカードの取り込みと排出およびカード／レシート部１０２からのレシートの排出を制御する。
【００６２】
紙幣処理ユニット１３０は、紙幣入出金部１０３と搬送機構と紙幣収納部とを有し、ＣＰＵ１１１の指示に従って紙幣の入出金と、紙幣入出金部１０３の前面のシャッターの開閉とを制御する。紙幣入出金部１０３から入金された（取り込まれた）紙幣は、搬送機構により搬送されて紙幣収納部に格納される。紙幣入出金部１０３から出金（排出）する紙幣は、搬送機構により紙幣収納部から取り出され、紙幣入出金部１０３へ搬送される。
【００６３】
テンキーユニット１４０は、テンキー入力部１０４を有し、利用者が押下したテンキーの情報をＣＰＵ１１１に送る。
誘導処理ユニット１５０ａは、利用者誘導部１０５ａを有し、ＣＰＵ１１１の指示に従って利用者誘導部１０５ａを点灯して利用者を、紙幣入出金部１０３に誘導する。誘導処理ユニット１５０ｂは、利用者誘導部１０５ｂを有し、ＣＰＵ１１１の指示に従って利用者誘導部１０５ｂを点灯して利用者を、カード／レシート部１０２に誘導する。
【００６４】
以上のようなハードウェア構成によって、本実施の形態の処理機能を実現することができる。なお、上記の構成は一例であり、ＡＴＭ１００の構成部の組み合わせは適宜決定される。上記構成のうち必要のないものを削除するとしてもよいし、たとえば、手のひら静脈や指静脈等の生体認証部や非接触ＩＣに対応する非接触ＩＣ部、硬貨処理ユニット等を加えることもできる。以下、特に、利用者誘導部１０５ａと、撮像部１０６ａを用いて説明する。
【００６５】
ここで、第二実施形態の概要について説明する。図５は、第二実施形態におけるＡＴＭの要部断面図である。具体的には、紙幣入出金部１０３周辺の断面図である。
ＡＴＭ１００では、利用者誘導部１０５ａは、２つの点灯状態を交互に切り換えることで利用者２１０を紙幣入出金部１０３に誘導する。そして、誘導された利用者２１０が紙幣２００を取得、または紙幣２００を挿入すると撮像部１０６ａは、利用者２１０の画像を撮像する。すなわち、ＡＴＭ１００では、利用者誘導部１０５ａが、利用者２１０を誘導するために２つの点灯状態を交互に切り換えて点灯している間に、利用者２１０の画像の撮像が行われる。
【００６６】
ところで、ＡＴＭ１００では、図５に示すように利用者誘導部１０５ａから出射した光の一部は、利用者２１０等で反射して、撮像部１０６ａ方向に進行するため、利用者誘導部１０５ａの点灯量に応じて、撮像部１０６ａに入射する入射光（たとえば、入射光の強度（入射光量））が変化する。
【００６７】
そのため、利用者誘導部１０５ａが、点灯状態を切り換える際に点灯量を急激に変化させると、入射光が大幅に変化し、露出量が、予め設定した露出量の基準値から大幅にずれてしまう。その結果、撮像部１０６ａは、露出補正によって露出量を基準値から一定範囲内にコントロールし直すまでの間、適切な画像が撮像できなくなっていた。
【００６８】
そこで、利用者誘導部１０５ａが、点灯状態を切り換える際に、点灯量を漸次的に変化させることで、露出量の基準値から大幅にずれるのを抑止する。
次に、ＡＴＭ１００が備える機能について説明する。図６は、第二実施形態におけるＡＴＭの機能ブロックを示す図である。
【００６９】
ＡＴＭ１００は、媒体制御部１００ａと、点灯態様管理部１００ｂと、誘導制御部１００ｃと、撮像制御部１００ｄとを備える。
媒体制御部１００ａは、各種媒体（レシート、カード、紙幣）の装置内への取り込み・装置内からの排出を制御する。たとえば、紙幣を排出する場合には、媒体制御部１００ａは、紙幣処理ユニット１３０に紙幣収納部から紙幣を取り出させ、搬送機構により紙幣入出金部１０３へ搬送させ、搬送完了後にシャッターを開放させて紙幣を利用者が取得可能な状態にする。そして、媒体制御部１００ａは、利用者による紙幣の取得完了後に、紙幣処理ユニット１３０にシャッターを閉鎖させる。
【００７０】
点灯態様管理部１００ｂは、点灯態様（誘導態様）を管理する。撮像が行われる可能性がない期間の誘導に用いられる点灯態様である第１点灯態様と、撮像が行われる可能性が有る期間の誘導に用いられる点灯態様である第２点灯態様とを管理する。
【００７１】
第１点灯態様は、点灯量を一括で変化させることで、点灯量０の点灯状態（第１点灯状態）と点灯量１００の点灯状態（第２点灯状態）とを所定間隔ごとに交互に切り換えて点灯する態様である。第２点灯態様は、点灯量を段階的に（２５ずつ）変化させることで、点灯量０の点灯状態（第１点灯状態）と点灯量１００の点灯状態（第２点灯状態）とを所定間隔ごとに交互に切り換えて点灯する態様である。各点灯態様については、後で図９を用いて詳細に説明する。
【００７２】
誘導制御部１００ｃは、媒体の挿入先、媒体の排出先への利用者の誘導を制御する。たとえば、誘導制御部１００ｃは、媒体制御部１００ａが紙幣を排出する場合には、点灯態様管理部１００ｂが管理する点灯態様で、誘導処理ユニット１５０ａに利用者誘導部１０５ａを点灯させ、利用者を紙幣入出金部１０３に誘導する。
【００７３】
撮像制御部１００ｄは、利用者の画像の撮像を制御する。撮像制御部１００ｄは、媒体の取り込み・排出の進行状況に応じて、撮像処理ユニット１１７に撮像部１０６ａまたは撮像部１０６ｂを用いて利用者を撮像させる。たとえば、撮像制御部１００ｄは、媒体制御部１００ａが紙幣を排出する場合には、排出した紙幣の取得動作（利用者による紙幣の取得）を媒体制御部１００ａが検知すると、撮像処理ユニット１１７に撮像部１０６ａを用いて利用者の画像を撮像させる。
【００７４】
ここで、点灯量を段階的に（２５ずつ）変化させることが可能な誘導処理ユニット１５０ａの構造について説明する。図７は、第二実施形態における誘導処理ユニットの回路図である。
【００７５】
誘導処理ユニット１５０ａは、制御部１５０ａ１と、利用者誘導部（光源）１０５ａとを備える。利用者誘導部１０５ａは、ＬＥＤ１，ＬＥＤ２，ＬＥＤ３，ＬＥＤ４を有する。ＬＥＤ１は、一端が定電圧源Ｖと接続し、他端が抵抗Ｒ１と、トランジスタＴｒ１とを介してグランド（ＧＮＤ）に接続する。ＬＥＤ２は、一端が定電圧源Ｖと接続し、他端が抵抗Ｒ２と、トランジスタＴｒ２とを介してグランド（ＧＮＤ）に接続する。
【００７６】
ＬＥＤ３は、一端が定電圧源Ｖと接続し、他端が抵抗Ｒ３と、トランジスタＴｒ３を介してグランド（ＧＮＤ）に接続する。ＬＥＤ４は、一端が定電圧源Ｖと接続し、他端が抵抗Ｒ４と、トランジスタＴｒ４を介してグランド（ＧＮＤ）に接続する。なお以下では、各ＬＥＤの点灯量を同一（点灯量を２５）とし、ＬＥＤを全て点灯した際の利用者誘導部１０５ａの点灯量を１００、ＬＥＤを全て消灯した際の利用者誘導部１０５ａの点灯量を０とする。
【００７７】
制御部１５０ａ１は、誘導制御部１００ｃの指示に基づいて誘導処理ユニット１５０ａを制御する。具体的には、制御部１５０ａ１は、誘導制御部１００ｃの指示に基づいてトランジスタＴｒ１，Ｔｒ２，Ｔｒ３，Ｔｒ４を制御（オンオフ）することにより、利用者誘導部１０５ａの点灯状態を、点灯量１００の点灯状態と点灯量０の点灯状態とに交互に切り換える。
【００７８】
制御部１５０ａ１がトランジスタＴｒ１をオンにすると、ＬＥＤ１には電流が流れ、ＬＥＤ１は、電流に応じた点灯量で点灯する。一方、制御部１５０ａ１がトランジスタＴｒ１をオフにすると、ＬＥＤ１には電流が流れず、ＬＥＤ１は、消灯する。制御部１５０ａ１がトランジスタＴｒ２をオンにすると、ＬＥＤ２には電流が流れ、ＬＥＤ２は、電流に応じた点灯量で点灯する。一方、制御部１５０ａ１がトランジスタＴｒ２をオフにすると、ＬＥＤ２には電流が流れず、ＬＥＤ２は、消灯する。
【００７９】
制御部１５０ａ１がトランジスタＴｒ３をオンにすると、ＬＥＤ３には電流が流れ、ＬＥＤ３は、電流に応じた点灯量で点灯する。一方、制御部１５０ａ１がトランジスタＴｒ３をオフにすると、ＬＥＤ３には電流が流れず、ＬＥＤ３は、消灯する。制御部１５０ａ１がトランジスタＴｒ４をオンにすると、ＬＥＤ４には電流が流れ、ＬＥＤ４は、電流に応じた点灯量で点灯する。一方、制御部１５０ａ１がトランジスタＴｒ４をオフにすると、ＬＥＤ４には電流が流れず、ＬＥＤ４は、消灯する。
【００８０】
このように、制御部１５０ａ１は、各トランジスタをオンオフすることにより、利用者誘導部１０５ａを構成する各ＬＥＤの点灯・消灯を個々に切り換えることができるため、利用者誘導部１０５ａの点灯量を５段階（０，２５，５０，７５，１００）で制御できる。
【００８１】
これにより、制御部１５０ａ１は、利用者誘導部１０５ａの点灯状態を、点灯量０の点灯状態（第１点灯状態）と点灯量１００の点灯状態（第２点灯状態）とを所定間隔ごとに交互に切り換える際に、段階的に（２５ずつ）点灯量を変化させることができる。
【００８２】
次に紙幣の排出処理を用いて、利用者の誘導と利用者の撮像について説明する。図８は、第二実施形態における紙幣排出処理のフローチャートである。
［ステップＳ１１］媒体制御部１００ａは、紙幣処理ユニット１３０に紙幣収納部から紙幣を取り出させ、搬送機構により紙幣入出金部１０３へ搬送を開始させる。
【００８３】
［ステップＳ１２］誘導制御部１００ｃは、紙幣入出金部１０３への誘導を開始する。誘導制御部１００ｃは、点灯態様管理部１００ｂから、撮像が行われる可能性がない期間（紙幣が装置内にある期間）の誘導に用いられる点灯態様である第１点灯態様を取得して、当該第１点灯態様で、誘導処理ユニット１５０ａに利用者誘導部１０５ａを点灯させる。
【００８４】
［ステップＳ１３］媒体制御部１００ａは、紙幣入出金部１０３から紙幣を排出する準備が完了したか否かを判定する。媒体制御部１００ａは、紙幣の紙幣入出金部１０３へ搬送が完了している場合に紙幣を排出する準備が完了したと判定する。
【００８５】
媒体制御部１００ａが、紙幣の排出をする準備が完了したと判定した場合にステップＳ１４にすすみ、紙幣の排出をする準備が完了していないと判定した場合に紙幣の排出の準備が完了するまで待機する。
【００８６】
［ステップＳ１４］誘導制御部１００ｃは、点灯態様管理部１００ｂから、撮像が行われる可能性がある期間（紙幣が装置から排出された後の期間）の誘導に用いられる点灯態様である第２点灯態様を取得して、誘導に用いる点灯態様を第１点灯態様から第２点灯態様に切り換える。
【００８７】
［ステップＳ１５］媒体制御部１００ａは、紙幣処理ユニット１３０に紙幣入出金部１０３のシャッターを開放させ、利用者が紙幣を取得可能な状態にする。
［ステップＳ１６］媒体制御部１００ａは、利用者の紙幣取得動作を検知したか否かを判定する。たとえば、媒体制御部１００ａは、紙幣入出金部１０３に設けられたセンサ等により利用者の紙幣取得動作を検知する。
【００８８】
媒体制御部１００ａは、利用者の紙幣取得動作を検知したと判定した場合にはステップＳ１７にすすみ、利用者の紙幣取得動作を検知していないと判定した場合には利用者の紙幣取得動作を検知するまで待機する。
【００８９】
［ステップＳ１７］撮像制御部１００ｄは、撮像処理ユニット１１７に撮像部１０６ａを用いて利用者の画像を撮像させる。
［ステップＳ１８］媒体制御部１００ａは、紙幣入出金部１０３に搬送した紙幣が全て取り出されたか否かを判定する。たとえば、媒体制御部１００ａは、紙幣入出金部１０３に設けられたセンサ等により紙幣の取得状況を検出して、搬送した紙幣が全て取り出されたか否かを判定する。
【００９０】
媒体制御部１００ａが紙幣入出金部１０３に搬送した紙幣が全て取り出されたと判定した場合にはステップＳ１９にすすみ、紙幣入出金部１０３に搬送した紙幣が全て取り出されていないと判定した場合にはステップＳ１６にすすむ。
【００９１】
［ステップＳ１９］誘導制御部１００ｃは、紙幣入出金部１０３への誘導を終了する。誘導制御部１００ｃは、誘導処理ユニット１５０ａに利用者誘導部１０５ａの点灯を終了（利用者誘導部１０５ａを消灯）させる。
【００９２】
次に、撮像が行われる可能性がない場合の誘導に用いられる点灯態様である第１点灯態様と撮像が行われる可能性がある場合の誘導に用いられる点灯態様である第２点灯態様について説明する。図９は、第二実施形態における点灯量の変化と露出量の変化との関係を示す図である。
【００９３】
図９（ａ）は、紙幣の排出処理において利用者を誘導した場合の点灯量の推移を示す図である。具体的には、利用者誘導部１０５ａを、排出の準備完了前まで第１点灯態様で点灯し、排出の準備完了後から第２点灯態様で点灯した場合の点灯量の推移を示している。なお、図９（ａ）では、縦軸が点灯量、横軸が時刻を示している。
【００９４】
図９（ｂ）は、利用者誘導部１０５ａの点灯量の推移が図９（ａ）である場合の露出量の推移を示す図である。図９（ｂ）は、点灯量に応じて利用者誘導部１０５ａから出射した出射光のうち一定の割合（たとえば、全て）が入射したと仮定した場合の露出量の推移を示している。なお、図９（ｂ）では、縦軸が露出量、横軸が時刻を示している。また、上方の破線は、適切な画像が撮像できる露出量の上限値として予め設定された露出オーバー（許容上限露出量）を、下方の破線は、適切な画像が撮像できる露出量の下限値として予め設定された露出アンダー（許容下限露出量）を示している。すなわち、破線の間が予め設定した適正範囲（露出量をコントロールすべき範囲）である。
【００９５】
時刻Ｔ１に媒体制御部１００ａが紙幣の搬送を開始（ステップＳ１１）すると、誘導制御部１００ｃは、第１点灯態様で利用者の誘導を開始し始める（ステップＳ１２）。
誘導制御部１００ｃは、時刻Ｔ１に第１点灯態様で点灯を開始すると、利用者誘導部１０５ａの点灯状態の切り換え（第１点灯状態から第２点灯状態への切り換え）を開始し、利用者誘導部１０５ａの点灯量を、点灯量０から点灯量１００に一括で切り換える。
【００９６】
時刻Ｔ１直前では、撮像部１０６ａは、利用者誘導部１０５ａの点灯量が点灯量０の場合に適正露出量（基準値）になるように調節している。そのため、時刻Ｔ１において点灯量が１００増加することにより、入射光量が大幅に増加し、露出量は、適正露出量を大幅に上回る値、すなわち、適正範囲外（許容上限露出量を上回る値）である「適正露出量＋α」になる。
【００９７】
その後、撮像部１０６ａは、撮像設定を調節することで露出量を徐々に減少（たとえば、単位時間当たり所定量減少）させ、時刻Ｔ２に適正露出量と同値まで補正する。
誘導制御部１００ｃは、点灯状態の切り換えタイミングである時刻Ｔ３に、利用者誘導部１０５ａの点灯状態の切り換え（第２点灯状態から第１点灯状態への切り換え）を開始し、利用者誘導部１０５ａの点灯量を、点灯量１００から点灯量０に一括で切り換える。
【００９８】
時刻Ｔ３直前では、撮像部１０６ａは、利用者誘導部１０５ａの点灯量が点灯量１００の場合に適正露出量になるように調節している。そのため、時刻Ｔ３において点灯量が１００減少することにより、入射光量が大幅に減少し、露出量は、適正露出量を大幅に下回る値、すなわち、適正範囲外（許容下限露出量を下回る値）である「適正露出量−α」になる。
【００９９】
その後、撮像部１０６ａは、撮像設定を調節することで露出量を徐々に増加（たとえば、単位時間当たり所定量増加）させ、時刻Ｔ４に適正露出量と同値まで補正する。
時刻Ｔ５に媒体制御部１００ａが排出の準備を完了する（ステップＳ１３：Ｙｅｓ）と、誘導制御部１００ｃは、点灯態様を第２点灯態様に切り換える（ステップＳ１４）。
【０１００】
誘導制御部１００ｃは、点灯状態の切り換えタイミングである時刻Ｔ６に、利用者誘導部１０５ａの点灯状態の切り換え（第１点灯状態から第２点灯状態への切り換え）を開始し、利用者誘導部１０５ａの点灯量を、点灯量０から点灯量２５に切り換える。
【０１０１】
時刻Ｔ６直前では、撮像部１０６ａは、利用者誘導部１０５ａの点灯量が点灯量０の場合に適正露出量になるように調節している。そのため、時刻Ｔ６において点灯量が２５増加することにより、入射光量が増加し、露出量は、露出オーバー気味な値である「適正露出量＋β（β＜αとする）」になる。
【０１０２】
その後、撮像部１０６ａは、撮像設定を調節することで露出量を徐々に減少（単位時間当たり所定量減少）させ、時刻Ｔ７に適正露出量と同値まで補正する。
誘導制御部１００ｃは、時刻Ｔ７から所定の時間経過後の時刻Ｔ８に、利用者誘導部１０５ａの点灯量を、点灯量２５から点灯量５０に切り換える。
【０１０３】
時刻Ｔ８直前では、撮像部１０６ａは、利用者誘導部１０５ａの点灯量が点灯量２５の場合に適正露出量になるように調節している。そのため、時刻Ｔ８において点灯量が２５増加することにより、入射光量が増加し、露出量は、露出オーバー気味な値である「適正露出量＋β（β＜αとする）」になる。
【０１０４】
その後、撮像部１０６ａは、撮像設定を調節することで露出量を徐々に減少（単位時間当たり所定量減少）させ、時刻Ｔ９に適正露出量と同値まで補正する。
誘導制御部１００ｃは、時刻Ｔ９から所定の時間経過後の時刻Ｔ１０に、利用者誘導部１０５ａの点灯量を、点灯量５０から点灯量７５に切り換える。
【０１０５】
時刻Ｔ１０直前では、撮像部１０６ａは、利用者誘導部１０５ａの点灯量が点灯量５０の場合に適正露出量になるように調節している。そのため、時刻Ｔ１０において点灯量が２５増加することにより、入射光量が増加し、露出量は、露出オーバー気味な値である「適正露出量＋β（β＜αとする）」になる。
【０１０６】
その後、撮像部１０６ａは、撮像設定を調節することで露出量を徐々に減少（単位時間当たり所定量減少）させ、時刻Ｔ１１に適正露出量と同値まで補正する。
誘導制御部１００ｃは、時刻Ｔ１１から所定の時間経過後の時刻Ｔ１２に、利用者誘導部１０５ａの点灯量を、点灯量７５から点灯量１００に切り換え、第１点灯状態から第２点灯状態への切り換えを終了する。
【０１０７】
時刻Ｔ１２直前では、撮像部１０６ａは、利用者誘導部１０５ａの点灯量が点灯量７５の場合に適正露出量になるように調節している。そのため、時刻Ｔ１２において点灯量が２５増加することにより、入射光量が増加し、露出量は、露出オーバー気味な値である「適正露出量＋β（β＜αとする）」になる。
【０１０８】
その後、撮像部１０６ａは、撮像設定を調節することで露出量を徐々に減少（単位時間当たり所定量減少）させ、時刻Ｔ１３に適正露出量と同値まで補正する。
誘導制御部１００ｃは、点灯状態の切り換えタイミングである時刻Ｔ１４に、利用者誘導部１０５ａの点灯状態の切り換え（第２点灯状態から第１点灯状態への切り換え）を開始し、利用者誘導部１０５ａの点灯量を、点灯量１００から点灯量７５に切り換える。
【０１０９】
時刻Ｔ１４直前では、撮像部１０６ａは、利用者誘導部１０５ａの点灯量が点灯量１００の場合に適正露出量になるように調節している。そのため、時刻Ｔ１４において点灯量が２５減少することにより、入射光量が減少し、露出量は、露出アンダー気味な値である「適正露出量−β（β＜αとする）」になる。
【０１１０】
その後、撮像部１０６ａは、撮像設定を調節することで露出量を徐々に増加（単位時間当たり所定量増加）させ、時刻Ｔ１５に適正露出量と同値まで補正する。
誘導制御部１００ｃは、時刻Ｔ１５から所定の時間経過後の時刻Ｔ１６に、利用者誘導部１０５ａの点灯量を、点灯量７５から点灯量５０に切り換える。
【０１１１】
時刻Ｔ１６直前では、撮像部１０６ａは、利用者誘導部１０５ａの点灯量が点灯量７５の場合に適正露出量になるように調節している。そのため、時刻Ｔ１６において点灯量が２５減少することにより、入射光量が減少し、露出量が露出アンダー気味な値である「適正露出量−β（β＜αとする）」になる。
【０１１２】
その後、撮像部１０６ａは、撮像設定を調節することで露出量を徐々に増加（単位時間当たり所定量増加）させ、時刻Ｔ１７に適正露出量と同値まで補正する。
誘導制御部１００ｃは、時刻Ｔ１７から所定の時間経過後の時刻Ｔ１８に、利用者誘導部１０５ａの点灯量を、点灯量５０から点灯量２５に切り換える。
【０１１３】
時刻Ｔ１８直前では、撮像部１０６ａは、利用者誘導部１０５ａの点灯量が点灯量５０の場合に適正露出量になるように調節している。そのため、時刻Ｔ１８において点灯量が２５減少することにより、入射光量が減少し、露出量は、露出アンダー気味な値である「適正露出量−β（β＜αとする）」になる。
【０１１４】
その後、撮像部１０６ａは、撮像設定を調節することで露出量を徐々に増加（単位時間当たり所定量増加）させ、時刻Ｔ１９に適正露出量と同値まで補正する。
誘導制御部１００ｃは、時刻Ｔ１９から所定の時間経過後の時刻Ｔ２０に、利用者誘導部１０５ａの点灯量を、点灯量２５から点灯量０に切り換え、第２点灯状態から第１点灯状態への切り換えを終了する。
【０１１５】
時刻Ｔ２０直前では、撮像部１０６ａは、利用者誘導部１０５ａの点灯量が点灯量５０の場合に適正露出量になるように調節している。そのため、時刻Ｔ２０において点灯量が２５減少することにより、入射光量が減少し、露出量は、露出アンダー気味な値である「適正露出量−β（β＜αとする）」になる。
【０１１６】
その後、撮像部１０６ａは、撮像設定を調節することで露出量を徐々に増加（単位時間当たり所定量増加）させ、時刻Ｔ２１に適正露出量と同値まで補正する。
以降、このサイクル（Ｔ６〜Ｔ２１）が、紙幣取得動作を検知し（ステップＳ１６：Ｙｅｓ）、利用者の画像を撮像し（ステップＳ１７）、搬送した紙幣が全て取り出されたと判定する（ステップＳ１８：Ｙｅｓ）まで繰り返される。
【０１１７】
このような点灯態様によれば、画像が撮像される可能性が有る期間において、点灯状態を切り換える際に点灯量の変化によって生じる適正露出量からのずれ（β＜α）を小さくできる。そのため、露出量が適切範囲内に納まる（コントロールされる）時間を長くすることができる。特に、図９に示すように、点灯量を変化させた直後でも露出量が適正範囲内に納まるような、変化回数、変化量、変化タイミング（変化間隔）で段階的に点灯量を変化させることで、露出量が適正範囲外にならないようにコントロールできる。
【０１１８】
このような点灯態様で点灯することにより、自動取引装置１は、交互に異なる点灯量で点灯して情報を報知した場合でも、適切な画像を撮像できる。
また、画像が撮像されない期間（紙幣が装置内にある期間）において、点灯量を一括で切り換えて、点灯状態を切り換えることで、明暗の切り換わりを第２点灯態様の場合よりも明確にして、利用者に感知（知覚）させやすくできる（良好に情報を報知できる）。
【０１１９】
なお、第２点灯態様において、点灯量を段階的に変化させる際に、露出量が適正露出量と同値に補正された後、所定時間経過した後に、次の段階に点灯量を変化させたがこれに限らない。露出量が適正範囲外にならないように、段階的に点灯量を変化させればよく、たとえば、露出量が適正露出量と同値に補正された後、即座に次の段階に点灯量を変化させてもよいし、露出量が適正露出量と同値に補正される前に、次の段階に点灯量を変化させてもよい。
【０１２０】
また、第２点灯態様における第１点灯状態（点灯量０）と第２点灯状態（点灯量１００）で点灯する時間の長さを、第１点灯態様における第１点灯状態（点灯量０）と第２点灯状態（点灯量１００）で点灯する時間の長さと同じ長さにしてもよい。
【０１２１】
また、第２点灯態様における第１点灯状態と第２点灯状態との点灯量の差分を、第２点灯態様における第１点灯状態と第２点灯状態との点灯量の差分よりも小さくしてもよい。
たとえば、第２点灯態様において第１点灯状態の点灯量を点灯量０とし、第２点灯状態の点灯量を点灯量７５とすることもできる。このように第１点灯状態と第２点灯状態との点灯量の差分をより小さくすることで、第２点灯態様において露出量が適正範囲外になるのをより防止できる。
【０１２２】
なお、適正範囲は、要求される画像の精度に応じて適宜、範囲を変えることができる。たとえば、精度の高い画像が求められる場合には、適正範囲をより狭く設定すればよい。
なお、上記の処理機能は、コンピュータによって実現することができる。その場合、装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスク装置（ＨＤＤ）、フレキシブルディスク、磁気テープなどがある。光ディスクには、ＤＶＤ（Digital Versatile Disc）、ＤＶＤ−ＲＡＭ、ＣＤ−ＲＯＭ／ＲＷ（Compact Disc-Read Only Memory/ReWritable）などがある。光磁気記録媒体には、ＭＯ（Magneto-Optical disk）などがある。
【０１２３】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１２４】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【０１２５】
また、上記の処理機能の少なくとも一部を、ＤＳＰ（Digital Signal Processor）、ＡＳＩＣ（Application Specific Integrated Circuit）、ＰＬＤ（Programmable Logic Device）などの電子回路で実現することもできる。
【０１２６】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。たとえば、実施形態に示される全構成要素を適宜組み合わせてもよい。さらに、異なる実施形態にわたる構成要素を適宜組み合わせてもよい。このような、発明の趣旨を逸脱しない範囲内において種々の変形や応用が可能である。
【符号の説明】
【０１２７】
１  自動取引装置
２  光源部
３  撮像部
４  対象物
【図１】
0006573561.tif 000002
【図２】
0006573561.tif 000003
【図３】
0006573561.tif 000004
【図４】
0006573561.tif 000005
【図５】
0006573561.tif 000006
【図６】
0006573561.tif 000007
【図７】
0006573561.tif 000008
【図８】
0006573561.tif 000009
【図９】
0006573561.tif 000010